(57)【要約】【課題】ドレーン管の構造の採用により、タンク底部に溜まる沈殿物を排出可能にするのみならず、タンク使用者に配慮した雨水貯水タンクを提供することにある。【解決手段】雨水貯水タンク３は雨水２が流入する流入孔４を開口した蓋５と、その蓋５が固着されると共に蓄えられた雨水２が流出する流出孔６を側部７に開口したタンク本体８と、蓄えられた雨水２の中の沈殿成分を排水するタンク本体８の底部９に開口したドレン排水孔１０を備える。そして、流出孔６には、タンク本体８に蓄えられた雨水２を配水するための放水管１１が備えられ、ドレン排水孔１０には、タンク本体８内の雨水２の中の沈殿成分の排水を制御する排水コック１２が備えられる。さらに、雨水貯水タンク３に貯水された雨水２中の沈殿成分を縦樋１に排水するための排水管１３が備え付けられ、その排水管１３は、片側が排水コック１２に接続され、他側が縦樋１に接続される。【選択図】図１
2011084939.tif 000002
【特許請求の範囲】
【請求項１】
縦樋を流れる雨水を集める雨水貯水タンクであって、
前記タンクには、
雨水が流入する流入孔を開口した蓋と、前記蓋が固着されると共に蓄えられた雨水が流出する流出孔を側部に開口したタンク本体と、蓄えられた雨水の中の沈殿成分を排水する前記タンク本体の底部に開口したドレン排水孔と、を備え、
前記流出孔には、前記タンク本体に蓄えられた雨水を配水するための放水管を備え、
前記ドレン排水孔には、
前記タンク本体内の雨水の中の沈殿成分の排水を制御する排水コックと、
片側がその排水コックに接続され、他側が前記縦樋に接続されて、雨水の中の沈殿成分を前記縦樋に排水するための排水管と、
を備え付けたことを特徴とする雨水貯水タンク。
【請求項２】
前記流入孔には、前記タンク本体内部に向けて雨水とともに流入するごみを除去するフィルターが着脱自在に備え付けられ、
前記縦樋から雨水を誘導する導入管の端と前記フィルターとの間に、前記導入管に沿って可動するスライド管を備え、
前記フィルターは前記スライド管を可動して着脱できることを特徴とする請求項１に記載の雨水貯水タンク。
【請求項３】
前記放水管は透明もしくは半透明のホースによって構成し、
前記タンク本体には、少なくとも前記放水管の一部をタンク本体の雨水の水位よりも高く保持するホース固定部を備えていることを特徴とする請求項１又は２に記載の雨水貯水タンク。
【請求項４】
前記流出孔には、前記タンク本体に蓄えられた雨水の配水を制御する放水コックを備え付けたことを特徴とする請求項１ないし請求項３のいずれか１項に記載の雨水貯水タンク。
【請求項５】
前記タンク本体には、貯水予定量を超えた雨水を放出する放出孔を備え、
前記放出孔には、雨水を前記縦樋に放水するためのオーバーフロー管を備え付けたことを特徴とする請求項１ないし請求項４のいずれか１項に記載の雨水貯水タンク。
【発明の詳細な説明】
【技術分野】
【０００１】
この発明は、雨水貯水タンクに関するものである。
【背景技術】
【０００２】
近年、水資源を有効に利用するために、雨水を庭の芝生や植木等への散水などに用いることが多くなっている。そこで、雨水の有効利用のため集めた雨水をタンクに貯めておき使用時に必要な場所に供給する雨水貯めタンクが使用されるようになってきている。従来は、タンクを雨樋の近くに設置し、縦雨樋の一部を切断し、これより現場に合わせた案内樋を特別に作成して、それをタンクに直接連結した雨水貯めタンクが使用されてきた。
そして、その雨水貯めタンクは、雨水の中に混じって縦樋からタンクに流入するごみや砂埃を含む沈殿物がたまるタンクの底を避けてタンクの下部側面に吐出蛇口が設けられ、また、タンクの底にはドレーン管を取り付け、必要時にドレーン管を備え付けた弁を開いてドレーンをタンクの下方に排出できる構造を備えたものが一般的であった（特許文献１）。
【先行技術文献】
【特許文献】
【０００３】
【特許文献１】実用新案登録第３０２０４２９号
【発明の概要】
【発明が解決しようとする課題】
【０００４】
上記の特許文献１のように、雨水貯めタンクの底に弁とともにドレーン管を取り付け、ドレーン管の排水口が雨水貯めタンクの直下に開口しているときは、タンク底部に溜まるごみや泥などの沈殿物は、弁を開くことによって確実に排出することができる。また、弁の開閉操作は簡単であるから頻繁にドレーンの排出ができ、排出回数を増やせば藻やボウフラが発生することはない。
しかし、弁を開くことにより、雨水貯めタンクの下方や、周辺にごみや泥などの沈殿物が溜まっている雨水と一緒に排出されるから、雨水貯めタンクの周辺が非衛生的かつ水浸しになるばかりではなく、沈殿物を排出する際には、タンク底部にある弁を開くことにより汚水が排出されるため、弁を開き汚水を排出しようとする者に汚水が飛び散るおそれがある。
このため、弁を開くドレーンの排出操作を実施する間隔が長くなるときがあり、この時は、雨水貯めタンク内に藻やボウフラが発生することがあり、ドレーンが非衛生的になり問題となる。
【０００５】
本発明の課題は、ドレーン管の構造の採用により、タンク底部に溜まる沈殿物を排出可能にするのみならず、タンク使用者に配慮した雨水貯水タンクを提供することにある。
【課題を解決する手段及び発明の効果】
【０００６】
上記課題を解決するために、本発明の雨水貯水タンクは、
縦樋を流れる雨水を集める雨水貯水タンクであって、
タンクには、
雨水が流入する流入孔を開口した蓋と、蓋が固着されると共に蓄えられた雨水が流出する流出孔を側部に開口したタンク本体と、蓄えられた雨水の中の沈殿成分を排水するタンク本体の底部に開口したドレン排水孔と、を備え、
流出孔には、タンク本体に蓄えられた雨水を配水するための放水管を備え、
ドレン排水孔には、
タンク本体内の雨水の中の沈殿成分の排水を制御する排水コックと、
片側がその排水コックに接続され、他側が縦樋に接続されて、雨水の中の沈殿成分を縦樋に排水するための排水管と、
を備え付けたことを特徴とする。
【０００７】
片側が排水コックに接続され、他側が縦樋に接続されて、雨水の中の沈殿成分を縦樋に排水するための排水管を備えるため、排水コックを開くことにより、タンク本体の底部に溜まる泥、藻、ミジンコ等の沈殿物をタンク本体の外部に排出することができる。そして、タンク本体に貯まる雨水が腐敗するのを防止することができる。
また、排水管の片側が排出コックに接続され、他側が縦樋に接続されることにより、排出コックを開くと、タンク本体に蓄えられた雨水の中の沈殿成分は、排出コックから排水管を通じて縦樋に流される。そのため、使用者に汚水が飛び散ることがなく、タンク本体周辺が水浸しにも非衛生的にもならない。よって、衛生的で使用者に配慮した雨水貯水タンクを提供することができる。
なお、排水管を透明又は半透明にすることにより、排出される沈殿物を使用者が目視することが可能となる。つまり、使用者が雨水の汚染状況を簡易に判断することが可能となる。よって、排水量を使用者が容易に判断することが可能となる。ひいては、沈殿物を含まないきれいな雨水を無駄に排出してしまうのを防ぐことができる。
【０００８】
また、流入孔には、タンク本体内部に向けて雨水とともに流入するごみを除去するフィルターが着脱自在に備え付けられ、
縦樋から雨水を誘導する導入管の端とフィルターとの間に、導入管に沿って可動するスライド管を備え、
フィルターはスライド管を可動して着脱できることを特徴とする。
【０００９】
縦樋から雨水を誘導する導入管の端とフィルターとの間に、導入管に沿って可動するスライド管を備えることにより、従来の雨水貯水タンクを設置するときに一番面倒な作業である、タンク本体の位置を正しい位置に設置して、縦樋と導入管とタンク本体とを一体に連結する作業が不要となる。つまり、縦樋から雨水を誘導する導入管の端とフィルターとの間に、導入管に沿って可動するスライド管を備えることにより、雨水貯水タンクの設置工程は以下のようになる。先ず、導入管の端がタンク蓋の流入孔に位置するようにタンク本体を設置する。そして、雨水をタンク本体内に流入させるスライド管をタンク蓋に挿通させることにより雨水貯水タンクの設置工程が完了する。このとき、スライド管が導入管に沿ってスライドするためには隙間が必要であり、この隙間の存在によってスライド管のフィルター側の端は、所定の範囲であれば動かすことができるので、導入管の中心と蓋の流入孔の中心とを正確に一致させる必要はなく、導入管が雨水貯水タンクのタンク蓋に直接固着する場合に比べ、簡易に雨水貯水タンクを設置することが可能となる。
また、流入孔に着脱自在に備え付けられ、タンク本体内部に向けて雨水とともに流入するごみを除去するフィルターは、雨水貯水タンクの蓋の流入孔に嵌め込まれ、蓋との間は着脱自在としたので、スライド管を上動させることによってフィルターを蓋の流入孔から取り外すことができ、フィルターについての清掃やメンテナンスを容易にすることができる。つまり、フィルターを完全にタンク本体から外すことにより、フィルターの編み目などの細部まで確実に清掃することが可能となり、フィルターの清掃が不十分なことに基づくフィルター部での雨水の滞留を防止することが可能となる。なお、スライド管に透明又は半透明の部材を用いることにより、フィルターにおけるごみの収集具合を外部から確認することができる。そのため、フィルターを清掃すべきか否かの判断を簡単にできる。
一方、導入管の端とフィルターとの間に備え付けたスライド管が、フィルター内に挿通することにより、雨水をタンク本体内部に確実に導くことが可能となる。よって、雨水が漏れなくタンク内部に流入し、効率的に雨水を貯水することができる。そして、雨水とともに流入するごみをフィルターにより確実に捕捉することができる。また、フィルターはスライド管がタンク本体内部に落下するのを防止することもできる。
さらに、フィルターは一定の大きさのごみや粒子の大きい砂利等が捕捉する。そのためタンク本体の底部には、固形のごみや粒子の大きい砂利等は沈殿しない。よって、比較的排出の容易な泥等のみが沈殿することになるため、フィルターを設けることにより排出管のつまりを防止する。また、確実にタンク本体の底部に沈殿した沈殿物を排出することも可能となる。なお、ごみがタンク本体に流入しないので泥成分が沈殿物の主成分となる。そのため、泥成分の沈殿物が縦樋に少量のドレン水と一緒に流れても、雨水貯水タンクを取り付ける前の状態と変わりがないため、雨水貯水タンクを設置したことによる縦樋の詰まりなどは生じない。
【００１０】
そして、放水管は透明もしくは半透明のホースによって構成し、
タンク本体には、少なくとも放水管の一部をタンク本体の雨水の水位よりも高く保持するホース固定部を備えていることを特徴とする。
【００１１】
放水管を透明もしくは半透明のホースにすることにより、水位計を備え低コストである雨水貯水タンクを簡易に製造することができる。すなわち、従来は、タンク本体の側壁の上下にタンク本体内部と連通する透明又は半透明な水位管を設けて、その水位管を水位計としていた。より具体的には、放出孔とは別に、水位管用の孔をタンク本体に２箇所設け、その上で水位管を連結していた。つまり、水位管の連結に手間を要していた。また、水位管を別個独立の部材として設ける必要があったため、製造コストも要していた。
しかし、放水管を水位管とすることにより、タンク本体に別途、水位管専用の孔を設ける必要がない。また、水位管の機能を放水管に担わせるべく、放水管に透明又は半透明ホースを用いることで別途、水位管を設ける必要がなくなり、水位計を備えた雨水貯水タンクを低コストで製造することができる。
ここで、本発明の雨水貯水タンクは、縦樋を流れる雨水を貯めるため、タンク本体は屋外に設置される。そのため、タンク本体内部に貯水された雨水が直射日光にさらされることにより、タンク本体内部に藻が発生する。そこで、内側又は外側を塗装したタンク本体及び内側又は外側を塗装した蓋を使用することにより、直射日光を遮り、藻の発生を抑止することが可能となる。この場合、タンク本体の内側又は外側を塗装することにより直射日光を遮る場合には、合成樹脂製のタンクにおいても、タンク本体の雨水の水位が外部からは判別できないため、放水管に透明又は半透明ホースを用いることでタンク本体の雨水の水位を測定する本構成は有効となる。
なお、ホース固定部からホースを外し、当該ホースの端をタンク本体の雨水の水位よりも低くすれば、当該ホースは、タンク本体に蓄えられた雨水を配水することができる。つまり、当該ホースは、水位計兼延長ホースとしても使用することができる。
【００１２】
一方、流出孔には、タンク本体に蓄えられた雨水の配水を制御する放水コックを備え付けたことを特徴とする。
【００１３】
放水コックがない場合もしくは開路とした場合には、流出孔から放水管の端までの間にタンク本体の雨水の水位に応じた雨水が常に溜まっている状態が維持される。そのため、使用者が、放水管により雨水を配水しようとする場合には、使用者は、放水管の少なくとも一部をタンク本体の雨水の水位よりも高く保持して移動する必要がある。つまり、使用者が放水管を保持して配水する場合、配水するに際して、放水管の高さを気に留めて放水管を移動させる必要があり、放水コックがない場合は、使用者が配水をするのが不便であった。
しかし、放水コックを備え付けたことにより、使用者が配水をするのが便利となる。つまり、放水管の移動に際して使用者が放水コックを閉めると、それ以降は、タンク本体から放水管に雨水が放出されない。そのため、使用者は、雨水を配水する際、放水管に溜まった雨水を溢しても、雨水は放水管に放出されないため、雨水を配水する移動の際に、無駄に雨水を溢したとしても放水管に溜まった雨水しか溢さない。よって、使用者は、貯水された雨水を効率的に配水することができる。ひいては、放水管の高さを気にせず放水管を移動させることができ、配水するのがより容易となる。
また、タンク本体に蓄えられた雨水の配水を放水コックにより制御できるので、使用者の状況に応じて、タンク本体に蓄えられた雨水を自由に配水することが可能となる。
さらに、上述の放水管を透明もしくは半透明のホースによって構成し、タンク本体には、少なくとも放水管の一部をタンク本体の雨水の水位よりも高く保持するホース固定部を備える構成に、当該放水コックを備え付けることも可能である。この場合、放水コックを開くことにより、ホースはタンク本体に貯水されている雨水の水量を測定することが可能となる。一方、放水コックを閉めた場合には、使用者は、ホースを散水用の延長ホースとして使用することができる。そして、貯水雨水量を計測しない場合には、ホースの一部をタンク本体の雨水の水位よりも高く保持する必要はないため、使用者は、ホースを収納するに際して、ホースの高さについて気にとめる必要がなくなる。よって、水位計としても使用できるホースの収納が便利になる。
【００１４】
また、タンク本体には、貯水予定量を超えた雨水を放出する放出孔を備え、
放出孔には、雨水を縦樋に放水するためのオーバーフロー管を備え付けたことを特徴とする。
【００１５】
雨水を縦樋に放水するためのオーバーフロー管を備えることにより、タンク本体の貯水予定量を超えた雨水がタンク本体内部に流入した場合においても、雨水が縦樋に放出される。よって、雨水を放出するオーバーフロー管が縦樋に接続されることにより、タンク本体周辺が水浸しにならない。つまり、使用者がタンクを使用する際に、タンク本体周辺が水浸しになっていることはない。よって、使用者に配慮した雨水貯水タンクを提供することができる。
また、オーバーフロー管が排水管と同じ縦樋に接続されることにより、オーバーフロー管から放水される雨水は、排水管から排水される沈殿物の詰まりを防止できる。つまり、オーバーフロー管から放水される雨水の水圧により縦樋における沈殿物が、オーバーフロー管から放水される雨水とともに排出される。よって、オーバーフロー管も排水管と同様に縦樋に接続することにより、より確実に沈殿物を排出することが可能となる。
【図面の簡単な説明】
【００１６】
【図１】本発明の雨水貯水タンクの一実施形態を示す斜視図。
【図２】流入孔、流出孔及びドレン排出孔が設けられた本発明の雨水貯水タンクを示す斜視図及び底面図。
【図３】本発明の雨水貯水タンクのフィルターの着脱を示す図。
【図４】本発明の雨水貯水タンクの設置工程を示す図。
【図５】透明もしくは半透明ホースとホース保持部が設けられた本発明の雨水貯水タンクの一実施例を示す斜視図。
【発明を実施するための形態】
【００１７】
以下、本発明を実施するための形態を添付の図面を用いて説明する。図１は本発明の雨水貯水タンク３の一実施形態を示すものである。本発明の雨水貯水タンク３は、縦樋１を流れる雨水２を集める。具体的には、流入孔４、流出孔６及びドレン排出孔１０が設けられた本発明の雨水貯水タンク３は、図２に示すように、雨水２が流入する流入孔４を開口した蓋５と、その蓋５が固着されると共に蓄えられた雨水２が流出する流出孔６を側部７に開口したタンク本体８と、蓄えられた雨水２の中の沈殿成分を排水するタンク本体８の底部９に開口したドレン排水孔１０を備える。
【００１８】
ここで、流出孔６には、図１に示すように、タンク本体８に蓄えられた雨水２を配水するための放水管１１が備えられ、ドレン排水孔１０には、タンク本体８内の雨水２の中の沈殿成分の排水を制御する排水コック１２が備えられる。さらに、雨水貯水タンク３に貯水された雨水２中の沈殿成分を縦樋１に排水するための排水管１３が備え付けられ、その排水管１３は、片側が排水コック１２に接続され、他側が縦樋１に接続される。
【００１９】
そして、流入孔４には、タンク本体８内部に向けて雨水２とともに流入するごみを除去するフィルター１４がタンクの蓋５に着脱自在に備え付けられる。具体的には、フィルター１４は、流入孔４の内周縁を基端部とし、該基端部の少なくとも一部から蓋５の外面に延出する延出部をつば部とし、導入管１５及びスライド管１６から供給される雨水２とともにタンク本体８内部に向けて供給されるごみを収集する収集部が雨水貯水タンク３内部に形成される。そして、それが、図３（ａ）に示される。そして、フィルター１４の収集部によりスライド管１６がタンク本体８内部に落下するのを防止する。さらに、縦樋１から雨水２を誘導する導入管１５の端とフィルター１４との間に、導入管１５に沿って可動するスライド管１６を備えることにより、フィルター１４はスライド管１６を可動して着脱できる。具体的には、フィルター１４の収集部に挿通されたスライド管１６のフィルター１４側の端がフィルター１４に接地している状態が図３（ｂ）の工程１に示されている。この工程１から、スライド管１６を導入管１５に沿ってフィルター１４と反対方向に上動させ、スライド管１６のフィルター１４側の端が導入管１５のフィルター１４側の端を覆うまで移動させる。この状態が図３（ｂ）の工程２に示されている。そして、この工程２から、スライド管１６の位置を保ち、フィルター１４とスライド管１６との間に生じた空間を利用することにより、フィルター１４を着脱することが可能となり、フィルター１４の着脱が工程３に示されている。
【００２０】
また、図１に示すように、放水管１１は透明もしくは半透明のホース１７によって構成され、少なくとも放水管１１の一部をタンク本体８の雨水２の水位ＷＬよりも高く保持するホース固定部１８がタンク本体８に備えられる。
【００２１】
一方、流出孔６には、図５に示すように、タンク本体８に蓄えられた雨水２の配水を制御する放水コック１９が備え付けることも可能である。
【００２２】
また、図１に戻り、タンク本体８には、貯水予定量を超えた雨水２を放出する放出孔２０が備えられる。そして、その放出孔２０には、縦樋１に接続されて、雨水２を縦樋１に放水するためのオーバーフロー管２１を備え付けられる。
【００２３】
以下、本発明の雨水貯水タンク３の使用態様と効果について説明する。本発明の雨水貯水タンク３は、図２に示すように、雨水２が流入する流入孔４を開口した蓋５と、その蓋５が固着されるタンク本体８を有し、そのタンク本体８は、タンク本体８の側部７にタンク本体８に蓄えられた雨水２を流出する流出孔６を備え、タンク本体８の底部９に蓄えられた雨水２中の沈殿成分を排出するドレン排出孔１０が開口される。そして、図１に示すように、流出孔６には、タンク本体８に蓄えられた雨水２を配水するための放水管１１が備えられ、ドレン排水孔１０には、タンク本体８内の雨水２の中の沈殿成分の排水を制御する排水コック１２が備えられる。さらに、雨水貯水タンク３に貯水された雨水２中の沈殿成分を縦樋１に排水するための排水管１３が備え付けられ、その排水管１３は、片側が排水コック１２に接続され、他側が縦樋１に接続される。
【００２４】
雨水貯水タンク３に貯水された雨水２中の沈殿成分を縦樋１に排水するための排水管１３が備え付けられることにより、タンク本体８の底部９に溜まる泥、藻、ミジンコ等の沈殿物をタンク本体８の外部に排出することができる。そのためタンク本体８に貯まる雨水２が腐敗するのを防止することができる。なお、内側又は外側を塗装したタンク本体８及び内側又は外側を塗装した蓋５を使用することにより、直射日光を遮り、藻の発生を抑止することができる。
そして、排水管１３の片側が排出コック１２に接続され、他側が縦樋１に接続されることにより、排出コック１２を開いても、タンク本体８に蓄えられた雨水２の中の沈殿成分は、排出コック１２から排水管１３を通じて縦樋１に流される。よって、使用者（排水者）に汚水が飛び散ることがない。また、タンク本体８周辺が水浸しにも非衛生的にもならない。したがって、本発明の雨水貯水タンク３は、衛生的で使用者に配慮したものとなる。
【００２５】
なお、タンク本体８及び蓋５には、廃棄処分されるポリタンク製、合成樹脂製又は塩化ビニル製のタンク本体８及び蓋５を用いることができる。廃棄処分されるポリタンク製、合成樹脂製又は塩化ビニル製の容器により、雨水貯水タンク３の製造コストを下げることができる。さらに、埋め立てごみとして廃棄処分されるポリタンク製、合成樹脂製又は塩化ビニル製の容器を使用することで、ポリタンク製、合成樹脂製又は塩化ビニル製の容器のごみを減らすことができ、環境に配慮した雨水貯水タンク３を提供することができる。
【００２６】
一方、排水管１３を透明又は半透明にすることにより、排出される沈殿物を目視することが可能となる。そのため、使用者は雨水２の汚染状況を簡易に判断することができる。よって、貯水された雨水２の排水量を使用者が適切に判断することができる。ひいては、沈殿物を含まないきれいな雨水２を使用者が大量に排出してしまう無駄な排出を防ぐことが可能となる。
また、従来、汚染された雨水２の排水量を使用者が判断する場合、ドレーン管から直接外部にドレーンを排出して、タンクの底から出てくる沈殿物を使用者が目視することで、判断していた。しかし、目視して判断するため、使用者に沈殿物が飛び散るという問題があった。しかしながら、排水管１３を透明又は半透明にすることにより、沈殿物が使用者に飛び散ることはない。そのため、雨水貯水タンク３は、使用者に配慮したものとなる。
【００２７】
また、本発明の雨水貯水タンク３は、タンク本体８内部に向けて雨水２とともに流入するごみを除去するフィルター１４が流出孔６に着脱自在に備え付けられ、そのフィルター１４と縦樋１から雨水２を誘導する導入管１５の端との間に、導入管１５に沿って可動するスライド管１６を備える。つまり、フィルター１４は雨水貯水タンク３の蓋５の流入孔４に嵌め込まれ、蓋５との間は着脱自在としたので、スライド管１６を上動させることによりフィルター１４を蓋５の流入孔４から取り外すことができる。そのため、フィルター１４についての清掃やメンテナンスを容易にすることができる。
また、従来の雨水貯水タンク３を設置するときに一番面倒な作業である、タンク本体８の位置を正しい位置に設置して、縦樋１と導入管１５とタンク本体８とを一体に連結する作業が不要となる。以下に、具体的に説明する。本発明の雨水貯水タンク３の設置工程は、先ず、導入管１５の端がタンクの蓋５の流入孔４に位置するようにタンク本体８を設置する。そして、雨水２をタンク本体８内に流入させるスライド管１６をタンクの蓋５に挿通させることにより雨水貯水タンク３の設置工程が完了する。このとき、スライド管１６が導入管１５に沿ってスライドするためには隙間が必要であり、この隙間の存在によってスライド管１６のフィルター１４側の端は、所定の範囲であれば動かすことができるので、導入管１５の中心と蓋５の流入孔４の中心とを正確に一致させる必要はなく、導入管１５が雨水貯水タンク３のタンクの蓋５に直接固着する場合に比べ、簡易に雨水貯水タンク３を設置することが可能となる。つまり、縦樋１と導入管１５とタンク本体８とを一体に連結する作業が不要となる。
【００２８】
また、可動するスライド管１６がフィルター１４の収集部に挿通されているので、スライド管１６により確実に雨水２をフィルター１４に通すことにより、雨水２をタンク本体８内部に確実に導くことが可能となる。そして雨水２が漏れなくタンク本体８内部に流入し、効率的に雨水２を貯水することができる。さらに、タンク本体８内部に向けて雨水２とともに流入するごみをフィルター１４において確実に捕捉することができる。
【００２９】
そして、フィルター１４の収集部によりスライド管１６がタンク本体８内部に落下するのを防止できる。さらに、フィルター１４の網目状の収集部により、一定の大きさのごみや粒子の大きい砂利等が捕捉される。そのため、タンク本体８の底部９には、固形のごみや粒子の大きい砂利等は沈殿しない。つまり、比較的排出の容易な泥等のみが沈殿することになる。したがって、フィルター１４を設けることにより排出管１３のつまりを防止することができる。よって、確実にタンク本体８の底部９に沈殿した沈殿物を排出することが可能となる。なお、ごみが雨水貯水タンク３に流入しないことから、泥成分が沈殿物の主成分となる。それゆえ、泥成分の沈殿物が縦樋１に流れても、雨水貯水タンク３を取り付ける前の状態とは変わりがないため、雨水貯水タンク３を設置したことによる縦樋１の詰まりなどは生じない。
【００３０】
また、フィルター１４において、流入孔４の内周縁を基端部とし、該基端部の少なくとも一部から雨水貯水タンク３の外面に延出する延出部をつば部とするフィルター１４を用いることができる。そのつば部により、フィルター１４の取外しができ、フィルター１４の清掃やメンテナンスが容易となる。さらに、フィルター１４の清掃やメンテナンスの際に、フィルター１４がタンク本体８内部に落下するのを防止できる。
【００３１】
また、図１又は図５に示すように、放水管１１を透明もしくは半透明のホース１７で構成し、少なくとも放水管１１の一部をタンク本体８の雨水２の水位ＷＬよりも高く保持するホース固定部１８をタンク本体８に備えることにより、水位計を備え低コストである雨水貯水タンク３を簡易に製造することができる。すなわち、従来は、タンク本体８の側壁の上下にタンク本体８内部と連通する透明又は半透明な水位管を設けることにより、水位を計測していた。より具体的には、放出孔２０とは別に、水位管用の孔をタンク本体８に２箇所設け、その上で水位管を連結していた。つまり、水位管の連結に手間を要していた。また、水位管を別個独立の部材として設ける必要があるため、製造コストも要していた。
しかし、放水管１１を水位管とすることにより、タンク本体８に別途、孔を設ける必要がなくなった。また、水位管の機能を放水管１１に担わせるべく、放水管１１に透明又は半透明ホース１７を用いることで水位計を備えた雨水貯水タンク３を低コストで製造することができる。なお、図５は、ホース固定部１８においてキャップＣを設けたものを示したものである。キャップＣにより、透明又は半透明ホース１７の内部にごみ等が入らず、きれいな雨水を配水することが可能となる。
また、意匠的なバリエーションを備えた雨水貯水タンク３を提供するために、タンク本体８や蓋５をカラーリングや装飾を施した場合には、タンク本体８の雨水の水位ＷＬが外部からは判別できないため、ホース１７により雨水２の水位を計測できる本構成は有効となる。
【００３２】
一方、流出孔６には、タンク本体８に蓄えられた雨水２の配水を制御する放水コック１９を備え付けられる。よって、放出コック１９を閉めることにより、タンク本体８の雨水２の水位ＷＬに影響して雨水２が放水管１１に溜まることがない。よって、使用者は、雨水２を配水する際、放水管１１の高さを気にせず移動でき、雨水２を配水するのが容易となる。
また、タンク本体８に蓄えられた雨水２の配水を放水コック１９により制御できるので、使用者の状況に応じて、タンク本体８に蓄えられた雨水２を自由に配水できる。
さらに、上述の放水管１１を透明もしくは半透明のホースによって構成し、タンク本体８には、少なくとも放水管１１の一部をタンク本体の雨水２の水位ＷＬよりも高く保持するホース固定部１８を備える構成に、当該放水コック１９を備え付けることも可能である。この場合、放水コック１９を開くことにより、ホースはタンク本体８に貯水されている雨水２の水量を測定することが可能となる。一方、放水コック１９を閉めた場合には、使用者は、ホースを散水用の延長ホースとして使用することができる。そして、貯水雨水量を計測しない場合には、ホースの一部をタンク本体８の雨水２の水位ＷＬよりも高く保持する必要はないため、使用者は、ホースを収納するに際して、ホースの高さを気にとめる必要がなくなる。よって、水位計としても使用できるホースの収納が便利になる。
【００３３】
また、タンク本体８には、貯水予定量を超えた雨水２を放出する放出孔２０を備え、該放出孔２０には、縦樋１に接続されて、雨水２を縦樋１に放水するためのオーバーフロー管２１を備え付けられることにより、タンク本体８の貯水予定量を超えた雨水２がタンク本体８内部に流入した場合においても、雨水２が縦樋１に放出させる。よって、雨水２を放出するオーバーフロー管２１が縦樋１に接続されることにより、タンク本体８周辺が水浸しにならない。つまり、使用者がタンクを使用する際に、タンク本体８周辺が水浸しになっていることはない。
また、オーバーフロー管２１が排水管１３と同じ縦樋１に直接もしくは排水管１３の途中を経由して接続されることにより、オーバーフロー管２１から放水される雨水２は、排水管１３から排水される沈殿物の詰まりを防止できる。つまり、オーバーフロー管２１から放水される雨水２の水圧により縦樋１や排水管１３の途中における沈殿物が、オーバーフロー管２１から放水される雨水２とともに排出される。よって、オーバーフロー管２１も排水管１４と同様に縦樋１に接続することにより、より確実に沈殿物を排出することが可能となる。
さらに、タンク本体８と蓋５とを、クランプ等の固着部材により強固に固着させることもできる。オーバーフロー管２１のフロー容量を超えた雨水２がタンク本体８に流入された場合でも、固着部材により、雨水２の沈殿物がタンク本体８と蓋５の間から流れ出るのを防止することができる。そのため、タンク本体８の周辺が雨水２の沈殿物により非衛生的になるのを防止する。
なお、オーバーフロー管２１を可撓性を有する素材で構成することにより、タンク本体８と縦樋１を所定の範囲であれば移動させることが可能となる。よって、本発明の雨水貯水タンク３の設置工程において、導入管１５の中心と蓋５の流入孔４の中心とを正確に一致していない場合でも、可撓性を有するオーバーフロー管２１により、簡易に一致させることができるため、比較的簡易に雨水貯水タンク３を設置することが可能となる。
【００３４】
また、土台を有するタンク本体８を設置した場合には、土台により、タンク本体８の底部９が一定の高さを有する。そのため、排水管１３をタンク本体８の底部９より下に配管することが可能となる。よって、排水コック１２を開くことにより雨水２の沈殿成分を勢いよく排水管１３に排水することが可能となる。ゆえに、排水管１３の詰まりを防止することができる。そして、タンク本体８を土台に設置した場合には、タンク本体８と土台を針金等の固定部材により固定することができる。固定部材により、耐震性に優れた雨水貯水タンク３を提供することが可能となる。
一方、土台に変わりにタンク本体８の底部９が一定の高さを有するように脚を設けた場合には、土台を設けた場合と同様に、排水管１３の詰まりを防止できるのみならず、固定部材により、タンク本体８と土台を固定する必要がないため、より耐震性に優れた雨水貯水タンク３を提供することが可能となる。
【符号の説明】
【００３５】
１  縦樋
２  雨水
３  雨水貯水タンク
４  流入孔
５  蓋
６  流出孔
７  側部
８  タンク本体
９  底部
１０  ドレン排出孔
１１  放水管
１２  排水コック
１３  排水管
１４  フィルター
１５  導入管
１６  スライド管
１７  透明もしくは半透明ホース
１８  ホース固定部
１９  放水コック
２０  放出孔
２１  オーバーフロー管
ＷＬ  水位
Ｃ  キャップ
【図１】
2011084939.tif 000003
【図２】
2011084939.tif 000004
【図３】
2011084939.tif 000005
【図４】
2011084939.tif 000006
【図５】
2011084939.tif 000007